(57)【要約】【課題】遊技の興趣をさらに増大させることができる可動演出装置を提供する。【解決手段】演出体３を遊技盤の遊技領域内に配設する。演出体３の両端に相対回動可能に結合されてそれぞれ両端を結ぶ方向と交差する方向で互いに同方向ないし逆方向へ移動する一対の駆動体５５Ａ，５５Ｂが設けられ、演出体３の一端に結合された駆動体５５Ａは、演出体３の他端に対し離間ないし接近方向へ一定範囲で移動可能に結合されている。演出体３は両端の間で各分割部３１，３２に二分されるとともにこれら分割部３１，３２は演出体３の形状を変化させるように互いに相対回動可能に結合されている。分割部３１，３２の相対回動を規制するフック体３５，３７が設けられて、電磁ソレノイド３６によってフック体３７は規制状態ないし規制解除状態へ選択的に作動させられる。【選択図】        図３
2010042138.tif 000002
【特許請求の範囲】
【請求項１】
遊技に係わる演出を行う遊技機の可動演出装置において、演出体と、当該演出体を動作させる駆動手段とを備え、前記駆動手段によって、前記演出体を第１配置状態から第２配置状態へ変化させるとともに前記演出体を異なる形状に変化させることを特徴とする遊技機の可動演出装置。
【請求項２】
前記演出体を遊技盤の遊技領域内に配設し、前記駆動手段は、前記演出体の両端に相対回動可能に結合されてそれぞれ両端を結ぶ方向と交差する方向で互いに同方向ないし逆方向へ移動可能な一対の第１駆動体を備えており、前記演出体の一端に結合された一方の第１駆動体は、前記演出体の他端に対し離間ないし接近方向へ一定範囲で移動可能に結合されており、前記演出体は前記両端の間で各分割部に二分されるとともにこれら分割部は前記演出体の形状を変化させるように互いに相対回動可能に結合されており、かつ、前記相対回動を規制する規制部材が設けられて、前記駆動手段はさらに、前記規制部材を規制状態ないし規制解除状態へ選択的に作動させる第２駆動体を備えている請求項１に記載の遊技機の可動演出装置。
【請求項３】
前記演出体を遊技盤の遊技領域内に配設し、前記駆動手段は、前記演出体の両端に相対回動可能に結合されてそれぞれ両端を結ぶ方向と交差する方向で互いに同方向ないし逆方向へ移動可能な一対の駆動体を備えており、前記演出体の一端に結合された一方の駆動体は、前記演出体の他端に対し離間ないし接近方向へ一定範囲で移動可能に結合されており、前記演出体は両端の間で各分割部に二分されるとともにこれら分割部は前記演出体の形状を変化させるように互いに相対回動可能に結合されており、かつ、前記演出体の他端に近い位置には他方の駆動体の移動位置に応じて前記演出体の他端側の分割部を案内してこれを所定角度へ回動させる案内部材を設けた請求項１に記載の遊技機の可動演出装置。
【発明の詳細な説明】
【技術分野】
【０００１】
本発明は遊技機の可動演出装置に関し、特に、大当たり時等に遊技領域の液晶画面等を背景に演出体が動作することによって遊技の興趣を向上させる遊技機の可動演出装置に関する。
【背景技術】
【０００２】
この種の可動演出装置として特許文献１には、アーム部とクランク部を介して演出体の両端を一対の駆動モータのそれぞれに連結して、各駆動モータの正逆転に伴って、遊技領域の液晶画面の前方で演出体が姿勢を変化させつつ移動するようにした可動演出装置が提案されている。
【特許文献１】特開２００７−２６８０４０
【発明の開示】
【発明が解決しようとする課題】
【０００３】
上記従来の可動演出装置は演出体が姿勢を変えつつ移動することで遊技の興趣を向上させたものではあるが、いまだ十分とはいえず、さらなる興趣向上を図る可動演出装置が望まれていた。
【０００４】
そこで、本発明はこのような要請に鑑みたもので、遊技の興趣をさらに増大させることができる遊技機の可動演出装置を提供することを目的とする。
【課題を解決するための手段】
【０００５】
上記目的を達成するために、本第１発明では、遊技に係わる演出を行う遊技機の可動演出装置において、演出体と、当該演出体を動作させる駆動手段とを備え、前記駆動手段によって、前記演出体を第１配置状態から第２配置状態へ変化させるとともに前記演出体を異なる形状に変化させることを特徴としている。
【０００６】
本第１発明においては、駆動手段によって演出体が第１配置状態から第２配置状態へ変化させられるとともに異なる形状に変化させられるから、遊技の興趣を従来に比して大きく向上させることができる。
【０００７】
本第２発明では、上記演出体（３）を遊技盤（１１）の遊技領域（１２）内に配設し、駆動手段は、演出体（３）の両端に相対回動可能に結合されてそれぞれ両端を結ぶ方向と交差する方向で互いに同方向ないし逆方向へ移動可能な一対の第１駆動体（５５Ａ，５５Ｂ）を備えており、演出体（３）の一端に結合された一方の第１駆動体（５５Ａ）は、演出体（３）の他端に対し離間ないし接近方向へ一定範囲で移動可能に結合されており、演出体（３）は両端の間で各分割部（３１，３２）に二分されるとともにこれら分割部（３１，３２）は演出体（３）の形状を変化させるように互いに相対回動可能に結合されており、かつ、相対回動を規制する規制部材（３５，３７）が設けられて、駆動手段はさらに、規制部材（３５，３７）を規制状態ないし規制解除状態へ選択的に作動させる第２駆動体（３６）を備えている。
【０００８】
本第２発明においては、演出体は第１駆動体によって第１配置状態から第２配置状態へ移動変化させられるとともに、第２駆動体によって規制部材を規制解除状態へ作動させることによって、演出体はその分割部が相対回動して異なる形状に変化させられる。
【０００９】
本第３発明では、上記演出体（３）を遊技盤（１１）の遊技領域（１２）内に配設し、駆動手段は、演出体（３）の両端に相対回動可能に結合されてそれぞれ両端を結ぶ方向と交差する方向で互いに同方向ないし逆方向へ移動可能な一対の駆動体（５５Ａ，５５Ｂ）を備えており、演出体（３）の一端に結合された一方の駆動体（５５Ａ）は、演出体（３）の他端に対し離間ないし接近方向へ一定範囲で移動可能に結合されており、演出体（３）は両端の間で各分割部（３１，３２）に二分されるとともにこれら分割部（３１，３２）は演出体（３）の形状を変化させるように互いに相対回動可能に結合されており、かつ、演出体（３）の他端に近い位置には他方の駆動体（５５Ｂ）の移動位置に応じて演出体（３）の他端側の分割部（３２）を案内してこれを所定角度へ回動させる案内部材（６）を設ける。
【００１０】
本第３発明においては、演出体は一対の駆動体によって第１配置状態から第２配置状態へ移動変化させられるとともに、他方の分割部が案内部材によって所定角度へ回動させられ、これに伴って一方の分割部も回動し、これによって演出体の形状も変化させられる。
【００１１】
なお、上記カッコ内の符号は、後述する実施形態に記載の具体的手段との対応関係を示すものである。
【発明の効果】
【００１２】
以上のように、本発明の遊技機の可動演出装置によれば、演出体が一の配置状態から他の配置状態へ変化させられるとともに異なる形状に変化させられるから、遊技の興趣をさらに増大させることができる。
【発明を実施するための最良の形態】
【００１３】
（第１実施形態）
図１には本発明の第１実施形態における可動演出装置を設けたパチンコ遊技機の正面図を示す。遊技機本体１の上半には遊技盤１１が配設されている。遊技盤１１の遊技領域１２の略中央には、液晶表示器ＬＣＤ用の略四角形の表示開口１３が設けられており、この開口１３を囲むように、液晶表示器ＬＣＤの前方に、詳細を後述する可動演出装置２が設けられて、その演出体３が開口１３内に位置している。なお、図中符号１４は球皿、符号１５は遊技球発射用のハンドルである。
【００１４】
図２には可動演出装置２の正面図を示す。可動演出装置２は一定幅の四角形の枠状基板２１を備えており、当該基板２１の左右の側辺２１１，２１２にはそれぞれ下半部外側に、駆動手段を構成するステッピングモータ４１Ａ，４１Ｂが取り付けられている。これらモータ４１Ａ，４１Ｂは図略の制御装置によってその回転が制御される。基板２１の内方へ向く各モータ４１Ａ，４１Ｂの出力軸にはギヤ４２Ａ，４２Ｂが装着してあり、これらギヤ４２Ａ，４２Ｂにはギヤ４３Ａ，４３Ｂが噛合している。基板２１の左右の側辺２１１，２１２の上半部外側には、以下に詳細を説明する、駆動手段を構成する伝達機構５Ａ，５Ｂが上下方向へ設けてあり、左右の伝達機構５Ａ，５Ｂの間に、右端へ向けて漸次幅広となった横長の上記演出体３が架設されている。演出体３は図２に示す第１配置状態たる上方の原位置においては、基板２１の上辺２１３に沿った直線状の略水平姿勢となっている。なお、演出体３は相対回動可能に連結された左右の分割部３１，３２により構成されている。
【００１５】
図３は伝達機構５Ａ，５Ｂの前カバーと演出体３の各分割部３１，３２の前カバーを取り去った状態の可動演出装置２の正面図を示す。図３において、各ギヤ４３Ａ，４３Ｂには伝達機構５Ａ，５Ｂを構成するプーリ５１Ａ，５１Ｂが同軸で設けられており、プーリ５１Ａ，５１Ｂには上方へ延びるベルト５２Ａ，５２Ｂの下端が懸架されている。各ベルト５２Ａ，５２Ｂの上端は上記両側辺２１１，２１２の上端部に設けられたプーリ５３Ａ，５３Ｂに至ってここに懸架されている。また、各ベルト５２Ａ，５２Ｂの手前側部分には途中にテンションプーリ５４Ａ，５４Ｂが当接させられて張力が付与されている。
【００１６】
演出体３の左右の分割部３１，３２は、右側分割部３２の内端上部に設けたピン部材３２１に、左側分割部３1の内端に形成されたステー３１１のリング部３１２が回動可能に嵌装されることによって結合されている。左側分割部３１の外端にはブラケット３３が設けられて、ここに演出体３の長手方向へ延びる長孔３３１が形成され、この長孔３３１内に、一対の第１駆動体における一方の駆動体を構成する駆動体５５Ａに設けたピン部材５５１が、長孔３３１に沿って相対的に移動可能に、また回動可能に挿通されている。駆動体５５Ａは、ブラケット３３を手前側と奥側から挟む同形の一対の板体５５２によって構成されており(図３は手前側の板体５５２（図２）を取り去った状態を示す)、ピン部材５５１はこれら板体５５２間に架設されている。これにより、駆動体５５Ａは演出体３の一端に結合されて、演出体３の他端に対し離間ないし接近方向へ一定範囲で移動可能となっている。駆動体５５Ａはベルト５２Ａの奥側部分に固定されている。伝達機構５Ａの基板上端部には、駆動体５５Ａが図３に示す上方の原位置にあることを検出するための位置センサ５６Ａが設けられている。また、伝達機構５Ａの基板の下方位置には位置センサ５７Ａが設けられて、駆動体５５Ａがこの位置まで下降したことを検出できるようにしてある。
【００１７】
右側分割部３２の外端にはブラケット３４が設けられて、ここに円形孔３４１が形成され、この円形孔３４１内に、一対の第１駆動体における他方の駆動体を構成する駆動体５５Ｂに設けたピン部材５５１が挿通されている。これにより、右側分割部３２が駆動体５５Ｂに対して相対回動可能に形成される。駆動体５５Ｂは、ブラケット３４を手前側と奥側から挟む同形の一対の板体５５２によって構成されており(図３は手前側の板体５５２（図２）を取り去った状態を示す)、ピン部材５５１はこれら板体５５２間に架設されている。駆動体５５Ｂはベルト５２Ｂの奥側部分に固定されている。伝達機構５Ｂの基板上端部には、駆動体５５Ｂが図３に示す上方の原位置にあることを検出するための位置センサ５６Ｂが設けられている。また、伝達機構５Ｂの基板の中間位置には位置センサ５７Ｂが設けられて、駆動体５５Ｂがこの位置まで下降したことを検出できるようにしてある。なお、位置センサ５７Ａ，５７Ｂは駆動体５５Ａ，５５Ｂの移動位置を確実に確認するためのもので、必ずしも設ける必要はない。なお、モータ４１Ａ，４１Ｂはステッピングモータに限定されず、ＡＣモータ、ＤＣモータ等、その他の種類のモータを用いても良い。また、モータの回転位置を検出するためにエンコーダ等の位置検出手段を適宜付設しても良い。
【００１８】
図４にはブラケット３４と駆動体５５Ｂの連結部の詳細を示す。ブラケット３４は外端縁が、傾斜するストッパ面３４ａとなっており、一方、駆動体５５Ｂには上下方向へ延びる垂直なストッパ面５５２ａが形成されて、これらストッパ面３４ａ，５５２ａの間に、下方へ開く三角形の間隙ｅが形成されている。
【００１９】
図３において、移動体３の左側分割部３１の内端には、右側分割部３２の内端に向けて延び先端３５１を鉤状に成形した、規制部材を構成する左フック体３５が設けてある。一方、右側分割部３２には図略の制御装置によって通電作動させられる、第２駆動体としての電磁ソレノイド３６が設けてあり、その直線動する駆動アーム３６１の先端に右フック体３７の基端が相対回動可能に連結されている。右フック体３７はその中間部が、右側分割部３２の板面に立設されたピン部材３２２に支持されて回動可能となっており、鉤状に成形された先端３７１が上記左フック体３５の先端３５１に係合している。これらフック体３５，３７の係合によって、左右の分割部３１，３２は自重で下方へ折れ曲がることなく略水平姿勢を維持している。なお、この状態で左右の分割部３１，３２の内端下縁には０．５ｍｍ程度の小間隙ｄが生じている。
【００２０】
このような構造の可動演出装置２の作動の一例を以下に説明する。遊技中に演出体に対して可動演出動作の指示が発生すると、図略の制御装置よりモータ４１Ａ，４１Ｂに回転指令が与えられ、ギヤ４２Ａ，４３Ａ，４２Ｂ，４３Ｂおよびプーリ５１Ａ，５１Ｂを介してベルト５２Ａ，５２Ｂと、これに伴い駆動体５５Ａ，５５Ｂが移動させられる。図５に示すように、駆動体５５Ａが位置センサ５７Ａの位置まで大きく下方へ移動させられる一方、駆動体５５Ｂがこれより上方の位置センサ５７Ｂを設置した位置で停止させられると、演出体３は直線状を維持しつつ第１配置状態たる原位置から全体として下降するとともに、左側分割部３１が右側分割部３２に対して相対的に下方に位置する傾斜姿勢（第２配置状態）となる。この状態では、図６に示すように、ブラケット３４と駆動体５５Ｂの各ストッパ面３４ａ，５５２ａが当接してこれらの間の間隙ｅ（図４）が消滅し、右側分割部３２のこれ以上の下方傾斜が規制される。このため、駆動体５５Ａの下方移動に伴い傾斜した左側分割部３１と、右側分割部３２の内端下縁との間の小間隙ｄ（図３）が消滅し、代わってフック体３５，３７の先端３５１，３７１間に小間隙ｆ（図５）が生じる。
【００２１】
そこで、この状態で電磁ソレノイド３６に通電してその駆動アーム３６１を収縮させると、図７に示すように右フック体３７が上方へ回動させられ、その先端３７１と左フック体３５の先端３５１との係合状態が解消される。ここで、上記先端３５１，３７１間に事前に小間隙ｆを生じさせていることによって、摩擦による過負荷の発生を抑えて確実に先端３７１と先端３５１との係合状態を解消させることができる。併せて、引張り力の小さい電磁ソレノイド３６で対応することが可能になるので、小型のソレノイドを用いることが可能となり、本係合機構をコンパクトに形成することができる。また、これにより演出体３自体の重量を軽量に構成することもできる。この状態で、駆動体５５Ａを上方へ移動させると（図８）、左側分割部３１が右側分割部３２に対しピン部材３２１を中心に上方へ回動して、演出体３全体が逆へ字形に折れ曲がった形状となる。図９は、各分割部３１，３２に前カバーを装着して、演出体３の折れ曲がった状態を示したものである。演出体３を第２配置状態から図２に示す第１配置状態たる上方の原位置へ戻す場合には、これまでの行程を逆に辿ればよい。以上のように、本実施形態の可動演出装置２によれば、左右の駆動体５５Ａ，５５Ｂの移動量やフック体３５，３７の係止および係止解除を適宜選択することによって、左右の側辺２１１，２１２間を跨るように大きな構造物として形成された演出体３を液晶表示器の前方で上下動させるだけでなく、所望の角度に屈曲させて異なる形状に変化させることができるから、表示の多様性が向上して、遊技の興趣を増大させることができる。
【００２２】
（第２実施形態）
図１０に本発明の第２実施形態における可動演出装置駆動部分の斜視図を示す。図中、第１実施形態と同じ部品については同一符号を付して説明を省略する。本実施形態では、図１０に示すように、第１実施形態において演出体３の右側分割部３２に設けられていた電磁ソレノイド３６および右フック体３７と、左側分割部３１に設けられていた左フック体３５は設けられていない。そしてこれに代えて、基板２１の右側辺２１２上に案内部材６が設けられ、当該案内部材６には、下方（図１０の手前側）へ延び、途中で外方へ斜めに屈曲する案内溝６１が形成されている。そして、右側分割部３２の端部背面下端にはガイドローラ３８が設けられて、これが案内溝６１内に転動可能に挿置されている。他の構造は第１実施形態と同様である。
【００２３】
このような構造によれば、右側分割部３２が上端の原位置にある状態で、自重によって右側分割部３２がピン部材５５１回りに下方へ回動しようとするが、図１１に示すように、案内溝６１内の上下方向へ延びる直線部に位置するガイドローラ３８によって上記回動は規制され、右側分割部３２は略水平姿勢に保持される。これにより、右側分割部３２に連結された左側分割部３１（図２）も略水平姿勢に保持され、演出体３は第１実施形態の図３に示す第１配置状態たる上方の原位置にて全体が略水平姿勢に保たれる。
【００２４】
遊技中に演出体に対して可動演出動作の指示が発生し、駆動体５５Ｂが下方へ移動させられると、この移動に伴って右側分割部３２も下方へ移動する（図１２）。ガイドローラ３８が案内溝６１内をこれに沿って下方へ移動し、案内溝６１の外方への屈曲部６１１内に至ると、図１３に示すように、右側分割部３２はピン部材５５１を中心に下方へ一定角度まで傾斜回動させられる。この時、駆動体５５Ａ（図２）を第１実施形態における位置センサ５７Ａの位置まで下方へ移動させれば、演出体３は左側分割部３１が右側分割部３２に対して相対的に下方に位置する傾斜姿勢（第２配置状態）となる。その後、駆動体５５Ａを駆動体５５Ｂとほぼ同じ高さへ移動させれば、演出体３は全体が上方へ向いたへ字形に折れ曲がった、第１実施形態の図９に示すのと同様の姿勢にすることができ、演出体３を異なる形状に変化させることができる。なお、左右の駆動体５５Ａ，５５Ｂの移動量を適当に調整すれば、演出体３は、ほぼ直線状から折れ曲がり角度の異なる種々のへ字形へ屈曲させられる。  
【００２５】
（その他の実施形態）
上記第１実施形態において、規制部材はフック体以外のもので構成しても良い。また、駆動機構をいずれか一方の分割部に対してのみ設け、他方の分割部はその外端を軸部材で回動可能に支持させるだけの構造としても良い。演出体を上記各実施形態のようにへ字形に屈曲変形させること以外に、演出体の一部を回動移動させたり、スライド移動させることにより、異なる形状に変化させても良い。また、演出体の分割部は二つに限定されず、三つ以上設けても良い。上記各実施形態では演出体を左右の枠部に架設させて上下移動するように構成したが、演出体を上下の枠部に架設させて左右移動するように構成しても良いし、斜めに移動するように構成しても良い。演出体は、一方の枠部から他方の枠部に渡って架設されて移動可能なものに限定されず、演出体全体が上下左右に自在に移動可能に構成しても良い。また、演出体の配置状態の変化を維持しつつ、すなわち移動状態を持続させながら、同時に異なる形状に変化させても良い。演出体の内部に発光装置を配設して、適宜発光させても良い。また、可動演出装置の可動動作は、遊技における予告演出やリーチ演出、大当たり演出等の適宜演出タイミングに合わせて可動させることができる。さらに、演出体を適宜伸縮変形等の変形可能な部材で構成し、適宜リンク機構を用いたり、ワイヤによる駆動機構を用いて可動させることにより、例えば丸形状の演出体を三角形状や星形状等の、異なる形状に変化するように構成しても良い。可動演出装置は表示装置の前方に配置することに限定されず、振り分け装置等、遊技領域におけるその他の遊技部材の一構成部材として設けても良い。また、可動演出装置は、遊技機の遊技領域内に限定されず、ガラス枠や球皿等の遊技機におけるその他の構成部材に配設しても良い。
【図面の簡単な説明】
【００２６】
【図１】本発明の一実施形態における、表示装置を設けたパチンコ遊技機の正面図である。
【図２】表示装置の正面図である。
【図３】各部の前カバーを取り去った状態での表示装置の正面図である。
【図４】ブラッケトと駆動体の連結部の詳細を示す正面図である。
【図５】表示装置の作動行程を示す正面図である。
【図６】表示装置の作動行程におけるブラッケトと駆動体の連結部の詳細を示す正面図である。
【図７】表示装置の作動行程を示す正面図である。
【図８】表示装置の作動行程を示す正面図である。
【図９】表示装置の作動行程を示す正面図である。
【図１０】本発明の第２実施形態における表示装置駆動部分の斜視図である。
【図１１】表示装置駆動部分の正面図である。
【図１２】表示装置駆動部分の作動行程を示す正面図である。
【図１３】表示装置駆動部分の作動行程を示す正面図である。
【符号の説明】
【００２７】
１…遊技機本体、１１…遊技盤、１２…遊技領域、２…可動演出装置、３…演出体、３１，３２…分割部、３５…左フック体（規制部材）、３７…右フック体（規制部材）、３６…電磁ソレノイド（第２駆動体）、５Ａ，５Ｂ…伝達機構（駆動手段）、５５Ａ，５５Ｂ…駆動体（第１駆動体）、６…案内部材、６１…案内溝。
【図１】
2010042138.tif 000003
【図２】
2010042138.tif 000004
【図３】
2010042138.tif 000005
【図４】
2010042138.tif 000006
【図５】
2010042138.tif 000007
【図６】
2010042138.tif 000008
【図７】
2010042138.tif 000009
【図８】
2010042138.tif 000010
【図９】
2010042138.tif 000011
【図１０】
2010042138.tif 000012
【図１１】
2010042138.tif 000013
【図１２】
2010042138.tif 000014
【図１３】
2010042138.tif 000015